(57)【特許請求の範囲】
【請求項１】
ナイロン、ポリエステル、ＰＥＴから選択される絶縁性樹脂糸を円筒状に編成し、伸びを有しないが、両端部を接近方向へ縮めると大径変化し、圧縮を解くと原状の小径で長尺な状態に復帰する特性を有する網チューブに対して、自動車に配索される端子付き電線を貫通させるために用いる治具であって、
上記網チューブを最大縮み状態とした時の網チューブの最大径と略同径の内径を有すると共に、その長さを、網チューブの最短長さよりも短い寸法としているパイプを備えており、
前記パイプ内に網チューブを貫通させた後に該網チューブを縮めて大径化して上記パイプの内周面に沿わせた状態で保持し、この状態で先端に端子を接続した端子付き電線を上記網チューブに通した後に、網チューブの縮みを解いて小径化且つ長尺化する自然長さに復帰させて、上記パイプより網チューブを取り出し、上記端子付き電線を網チューブに貫通させるものである網チューブへの端子付き電線の貫通用治具。
【請求項２】
網チューブへの端子付き電線を貫通させるために用いる治具であって、
上記網チューブの最大径変化時の外径と略同径の内径を有するパイプを左右一対の２部材に分割し、これら分割パイプの一方の内周面を切り欠くと共に他方の外周面を切り欠いてスライド自在に嵌合させて、パイプの全長を伸縮可能とし、
かつ、上記パイプの両端に、網チューブの両端を収容保持する周溝を対向面に設けると共に他端面を閉鎖した円環形状の左右端末受け筒を設け、
上記左右端末受け筒に網チューブの両端を収容した状態で互いに近接方向に移動させて上記左右の分割パイプの長さを最短として端子付き電線を貫通し、貫通後に離反方向に移動させて網チューブを自然長さに復帰させるようにしている網チューブへの端子付き電線貫通用治具。
【請求項３】
上記左右一対の分割したパイプは、それぞれ軸線方向に沿ってスリットを設けていると共に、該スリットとの対向位置に薄肉ヒンジ部を設けており、上記パイプへの網チューブの挿脱を上記スリットを開いて行う構成としている請求項２に記載の網チューブへの端子付き電線貫通用治具。
【発明の詳細な説明】
【０００１】
【発明の属する技術分野】
本発明は、一端に端子を接続した端子付き電線の端子を網チューブ内へ貫通させるために用いる治具に関するものである。
【０００２】
【従来の技術】
近時、自動車に配索する電線の外装材として樹脂製の網チューブが用いられることがある。この網チューブは可撓性を備えているため、電線を所要形状に屈曲させて配索することが容易であると共に、従来の電線群を結束すると共に保護するために電線群に巻き付けられていた塩化ビニルからなる樹脂テープよりも強度、剛性が高いために、外部材と干渉しても損傷が生じることはなく、かつ、見栄えも良い利点を有している。
【０００３】
上記網チューブとしては、ナイロン、ポリエステル、ＰＥＴ等の絶縁性樹脂糸を円筒状に編成したもので、伸びを有しないが、両端部を接近方向へ縮めると大径変化し、圧縮を解くと原状の小径で長尺な状態に復帰する特性を有している。
【０００４】
上記網チューブへ、一端に端子を有する端子付き電線を、端子側からそのまま挿入させると端子が網チューブに引っ掛かり、特に、網チューブ長が長くなると端子を貫通させることが困難となる。そのため、実開平６−５７０１９号において図６に示すように、端子貫通治具Ｊが提案されている。
【０００５】
上記端子貫通治具Ｊは、端子収容部を有する先導案内部Ｊ１に端子５を収容し、この先導案内部Ｊ１に連続形成される半円筒形状の電線トレイ部Ｊ２と、これより延設される通しバーＪ３とに沿って電線４を載置し、この電線４と通しバーＪ３とを握って、先導案内部Ｊ１から網チューブ３内へ順次通していく電線貫通治具Ｊを使用することによって、端子付き電線の貫通作業を行なっている。
【０００６】
【発明が解決しょうとする課題】
しかしながら、上記電線貫通治具によると、網チューブ３の一端部内へ、先導案内部Ｊ１を挿入した後、少しづつたぐりながら網チューブ３を通していかなければならないため、作業性が悪いという不具合があった。特に、この不具合は網チューブ長さが長くなるほど顕著である。また、この電線貫通治具により端子を貫通させた後に電線を残してこの治具だけを抜きとる作業も容易でない問題がある。
【０００７】
本発明は、上記問題に鑑みてなされたもので、端子付き電線の端子を網チューブに容易に貫通できるようにすることを課題としている。
【０００８】
【課題を解決するための手段】
上記課題を解決するため、本発明は、ナイロン、ポリエステル、ＰＥＴから選択される絶縁性樹脂糸を円筒状に編成し、伸びを有しないが、両端部を接近方向へ縮めると大径変化し、圧縮を解くと原状の小径で長尺な状態に復帰する特性を有する網チューブに対して、自動車に配索される端子付き電線を貫通させるために用いる治具であって、
上記網チューブを最大縮み状態とした時の網チューブの最大径と略同径の内径を有すると共に、その長さを、網チューブの最短長さよりも短い寸法としているパイプを備えており、
前記パイプ内に網チューブを貫通させた後に該網チューブを縮めて大径化して上記パイプの内周面に沿わせた状態で保持し、この状態で先端に端子を接続した端子付き電線を上記網チューブに通した後に、網チューブの縮みを解いて小径化且つ長尺化する自然長さに復帰させて、上記パイプより網チューブを取り出し、上記端子付き電線を網チューブに貫通させるものである網チューブへの端子付き電線の貫通用治具を提供している。
【０００９】
上記のようにパイプに網チューブを通した後、網チューブを縮めて大径変化させると、網チューブはパイプの内周面に沿って大径状態で且つ短寸化した状態で保持される。よって、この状態で端子付き電線を網チューブ内に挿入すると、端子が網チューブに引っ掛かることはなく、かつ、短かい距離を通せばよくなり、網チューブへの端子付き電線の貫通作業を容易に行うことができる。
【００１０】
上記網チューブへの端子付き電線の貫通方法に用いる治具としては、網チューブを最大縮み状態とした時の網チューブの最大径と略同径の内径を有すると共に、その長さを、網チューブの最短長さよりも若干短い寸法としている１つのパイプのみで構成することができる。
その場合、パイプの両端で網チューブを作業員が保持して使用することが可能である。
しかしながら、パイプが長くなると、網チューブの両端を保持する作業員と、端子付き電線を通す作業員とが必要となる。
【００１１】
よって、本発明では、網チューブが長尺となった場合に一人の作業員で貫通作業ができる網チューブへの端子付き電線貫通用の治具も提供している。
【００１２】
上記治具は、網チューブの最大径変化時の外径と略同径の内径を有するパイプを左右一対の２部材に分割し、これら分割パイプの一方の内周面を切り欠くと共に他方の外周面を切り欠いてスライド自在に嵌合させて、パイプの全長を伸縮可能とし、かつ、上記パイプの両端に、網チューブの両端を収容保持する周溝を対向面に設けると共に他端面を閉鎖した円環形状の左右端末受け筒を設け、
上記左右端末受け筒に網チューブの両端を収容した状態で互いに近接方向に移動させて上記左右の分割パイプの長さを最短として端子付き電線を貫通し、貫通後に離反方向に移動させて網チューブを自然長さに復帰させるようにしている。
【００１３】
上記治具を用いると、網チューブの両端を左右端末受け筒に収容して位置決め保持でき、左右端末受け筒の間の網チューブは左右分割パイプ内に自然長さで位置する。この状態で、左右端末受け筒を近接方向に押すと、網チューブは大径変化し、かつ、左右端末受け筒の近接作動で、その間の分割パイプもスライドして互いに重なり収縮していく。網チューブが最大径となるとパイプの内周面に接した状態となり、内部に垂れ下がることなく、最大径の状態で保持できる。このように最大径で且つ最短寸法に網チューブが保持されることにより、該網チューブへの端子付き電線の貫通作業を容易に行うことができる。
【００１４】
上記分割したパイプは、軸線方向に沿ってスリットを設けていると共に、該スリットとの対向位置に薄肉ヒンジ部を設けており、上記パイプへの網チューブの挿脱を上記スリットを開いて行う構成とすることが好ましい。
【００１５】
上記構成とすると、網チューブをパイプに貫通させる必要はなく、網チューブの両端を左右端末受け筒に収容した後に、左右の分割パイプに対して側方からスリットを通して挿入すればよい。また、端子付き電線を網チューブに通した後は、スリットを開いて側方から分割パイプを取り除くことができる。
【００１６】
なお、上記左右一対の分割したパイプには、上記スリットと薄肉ヒンジを設ける代わりに、それぞれ上下の半円環部に分割して、互いに着脱自在に係止する構成としてもよい。
【００１７】
なお、上記治具は、網チューブの最大径変化時の外径と略同径の内径を有するパイプを左右一対の２部材に分割し、これら分割パイプの一方の内周面を切り欠くと共に他方の外周面を切り欠いてスライド自在に嵌合させて、パイプの全長を伸縮可能とし、かつ、上記パイプの両端に、網チューブの両端を収容保持する周溝を対向面に設けると共に他端面を閉鎖した円環形状の左右端末受け筒を設け、
上記左右端末受け筒に網チューブの両端を収容した状態で互いに近接方向に移動させて上記左右の分割パイプの長さを最短として端子付き電線を貫通し、貫通後に離反方向に移動させて網チューブを原状に復帰させるようにしてもよい。
【００１８】
【発明の実施の形態】
以下、本発明の実施形態を図面を参照して説明する。
図１は第１実施形態を示し、使用する治具１０として、軽くて容易に屈曲しない材質、例えば鋼管あるいは塩化ビニール管等の中空筒状のパイプ１１を用いている。この内径は前述した如く、網チューブ３を最大縮み状態にした際の最大外径と略同径あるいは若干小径としている。
【００１９】
これにより、バイプ１１の内周面を、最大縮み状態の網チューブ３の外周面が接当あるいは圧接することになるので、パイプ１１で網チューブ３を最大縮み状態で保持することができる。
【００２０】
また、パイプ１１の長さは、最大縮み状態で最短となった網チューブ３の長さより若干短めとし、網チューブ３の両端をパイプ１１の両端開口より突出させることができるように設定している。このように網チューブ３をパイプ１１の両端より突出させることで、網チューブ３をパイプ１１の両端に固定することができ、かつ、端子付き電線の貫通作業後に、網チューブ３の一端を把持してパイプ１１より引き抜くことが出来るようにしている。
【００２１】
前記保持治具１０の使用に際しては、まず、図１（Ａ）に示す網チューブ３を、図１（Ｂ）に示すように、パイプ１１に自然長の状態で通す。その後、図１（Ｃ）に示すように、網チューブ３の両端部を縮み方向、つまり接近方向へ作業員が押圧して網チューブ３を最大縮み状態にする。
これにより、パイプ１１により網チューブ３を最大径で且つ最短長さに保持できる。この状態で、端子付き電線４の端子５を先頭にして網チューブ３の一方側から電線４を持って順次挿入していき貫通させる。なお、図中は１本の電線４を示しているが、複数本の電線が貫通させている。
【００２２】
所要本数の電線を貫通させた後、図１（Ｄ）に示すように網チューブ３の両端の押圧を解き、網チューブ３を自然長さに戻し、パイプ１１の両端部から網チューブ３を延伸させる。網チューブ３の一端を外方へ引っ張り、パイプ１１より端子付き電線を貫通した網チューブ３を引き抜く。
【００２３】
なお、上記貫通作業時において、作業員が網チューブの両端をパイプ１１の両端に固定しながら端子付き電線４の挿通を行っても良いが、網チューブ３が長くパイプ１１が長い場合には一人の作業員で貫通作業を行うことは出来ない。
【００２４】
よって、１つのパイプを用いる場合には、図２（Ａ）（Ｂ）（Ｃ）に示す変形例の構成とすることが好ましい。
この変形例では、パイプ１１’は上下に分割して、上側パイプ１１ａ’と１１ｂ’とから構成し、網チューブ３に上下から被せて互いに係止するようにしている。また、パイプ配置部Ｐの前部に当接板３０を固定すると共に、後部に押当板３１を移動自在に配置している。当接板３０には網チューブの外径よりは小さいが、電線端末の端子は挿通させることができる程度の穴３０ａを穿設している一方、押当板３１には網チューブ貫通用の孔３１ａを設けている。
【００２５】
網チューブ３には図２（Ａ）に示すように、通常、その両端近傍に車体固定用のクランプ３４、３５が取り付けられており、このクランプ３４、３５を利用している。
【００２６】
上記網チューブ３のクランプ３４、３５の間の位置に上下パイプ１１ａ’と１１ｂ’とを被せてパイプに網チューブ３を自然長さで通した状態とし、前後の当接板３０と押圧板３１の間に配置し、網チューブ３の前端のクランプ３４を当接板３０に押し当てる。後方から押圧板３１を当接板３０側へと移動させ、後端側のクランプ３５に当接させる。さらに押圧板３１を移動して、クランプ３５を前方へ押すことにより網チューブ３を縮め、パイプ１１内で網チューブ３を大径化させる。クランプ３５がパイプ１１’の後端に当接するとパイプ１１’も当接板３０側へと移動され、パイプ１１’の前端が、当接板３０に当たっているクランプ３４に当接すると押圧板３１は停止する。この状態で、網チューブ３はパイプ１１’内で最大径で保持され、端子付き電線５を通していく。所要数の電線を貫通後、押圧板３１を後退させ、当接板３０と押圧板３１との間からパイプ１１’と端子付き電線を貫通させた網チューブ３を取り出すことができる。この状態で網チューブ３は小径化および長尺化して自然状態に戻り、パイプ１１’の上下パイプを分離して網チューブ３から取り外す。
【００２７】
図３（Ａ）〜（Ｄ）および図４（Ａ）〜（Ｅ）は第２実施形態を示す。
第２実施形態で用いる治具６は、網チューブ３の最大径変化時の外径と略同径の内径を有すると共に、最短長さとした時よりも若干短いパイプを、左右一対の２部材に分割した分割パイプ１２、１３と、左右一対の端末受け筒７、８とより構成している。左端末受け筒７に分割パイプ１２に着脱自在に連結すると共に、右端末受け筒８に分割パイプ１３を着脱自在に連結して、左右端末受け筒７、８の間に分割パイプ１２、１３を配置している。
【００２８】
上記分割パイプ１２と１３とはスライド自在に嵌合させて、パイプの全長を伸縮可能としている。即ち、分割パイプ１２は、その内周面を分割端１２ａから所要寸法切り欠いて内径を大径化させたスライド部１２ｂを設ける一方、分割パイプ１３は、その外周面を分割端１３ａから所要寸法切り欠いて外径を小径化させたスライド部１３ｂを設けている。
左右の分割パイプ１２と１３に上記スライド部１２ｂ、１３ｂを設けていることにより、分割パイプ１２と１３とを嵌合して１本のパイプとした時に内周面および外周面とは全長にわたって段差が発生しない均一径となるようにしている。
【００２９】
また、左右分割パイプ１２、１３は、その軸線方向の全長にわたってスリット１２ｃ、１３ｃを設けると共に対向部位に薄肉ヒンジ部１２ｄ、１３ｄを設け、スリット１２ｃ、１３ｃを開いて網チューブ３を内部に通すことができるようにしている。
【００３０】
さらに、分割パイプ１２、１３の分割端とは反対の外端１２ｅ、１３ｅに端末受け筒への嵌合突起１２ｆ、１３ｆを設けている。
【００３１】
上記左右端末受け筒７、８は、網チューブ３の両端を最大径とした状態で収容保持する周溝７ａ、８ａを対向面に設けると共に他端面を閉鎖面７ｂ、８ｂした円環形状としている。また、対向面の外筒７ｃ、８ｃに左右分割パイプの突起１２ｆ、１３ｆを嵌合する凹部７ｄ、８ｄを設けている。
【００３２】
本実施形態では、網チューブ３は長さ１ｍ、縮み前の自然長のときの内径４ｍｍ、最大縮み状態の内径８ｍｍである。
【００３３】
図４（Ａ）〜（Ｅ）は第２実施形態の治具６を使用した端子付き電線の網チューブ貫通作業工程を示し、まず、図４（Ａ）に示すように、左右端末受け筒７、８の周溝７ａ、８ａに網チューブ３の両端を最大径とした状態で収容して固定する。
【００３４】
ついで、分割パイプ１３のスリット１３ｃを開いて網チューブ３に被せ、その嵌合突起１３ｆを右端末受け筒８の凹部８ｄに挿入して連結する。同様に、分割パイプ１２のスリット１２ｃを開いて網チューブ３にかぶせ、その嵌合突起１２ｆを左端末受け筒７の凹部７ｄに挿入して連結し、図４（Ｂ）の状態とする。この時、左右の分割パイプ１２、１３のスライド部１２ｂと１３ｂの先端が当接し、その内部に網チューブ３が自然長で通された状態で、パイプの全長Ｌ１は最大となっている。
【００３５】
なお、分割パイプ１２、１３に網チューブ３を通した後に、それらの両端を左右端末受け筒７、８に挿入固定し、図４（Ａ）と（Ｂ）の工程を逆としてもよい。
【００３６】
ついで、左右端末受け筒７、８を互いに近接方向へと押して、分割パイプ１２、１３のスライド部１２ｂ、１３ｂを嵌合方向へとスライドさせ、これらスライド部１２ｂ、１３ｂが図４（Ｃ）に示すように完全に嵌合して先端が段部に当接する最短長さＬ２に収縮させる。
【００３７】
この作業で、端末受け筒７、８で両端が保持された網チューブ３は縮んで拡径し、スライド部１２ｂ、１３ｂが停止した位置で最大縮み状態となり、網チューブ３は最大径でかつ最短長さとなる。
この状態で保持して、端子付き電線４の端子５を先頭にして網チューブ３を、一方側の右端末受け筒７内から電線４を持って順次挿入していき網チューブ３内を通過させ、左端末受け筒８を通して貫通させる。
【００３８】
所要本数の端子付き電線４を全て貫通させた後、上記と逆手順でパイプ１２、１３および端末受け筒７，８を取り外す。
即ち、左右の端末受け筒７、８を離反させて、パイプ１２、１３も嵌合を解いていき、図４（Ｄ）の状態に戻す。その後、パイプ１２、１３をスリット１２ｃ、１３ｃを開いて網チューブ３より取り外すと共に、端末受け筒７、８との係合をといて取り外し、図４（Ｅ）の状態とする。
その後、端末受け筒７、８を引き抜きて、周溝７ａ、８ａより網チューブ３の両端を取り外す。
【００３９】
図５は第２実施形態の治具の変形例を示す。
上記分割パイプ１２、１３は、スリットとヒンジ部を設ける代わりに、上下に二分割にしてそれぞれを半円環形状の上下パイプ１２’、１２”、１３’、１３”にし、かつ、互いに係止するロック部１２’ｍと非ロック部１２”ｎ、１３’ｍ、１３”ｎとを設けている。
網チューブへの取付作業は第２実施形態と同様であるため説明を省略する。
【００４０】
【発明の効果】
以上の説明から明らかなように、本発明の貫通方法によれば、自然長の網チューブをパイプに通した後に網チューブを縮めて拡径化させ、略最大径に達するとパイプ内面に当接して拡径状態を保持させている。この状態で端子付き電線を網チューブ内に貫通させると、網チューブが最大径に保持されているため容易に貫通させることができると共に、網チューブが最短長さになっているため貫通距離が短くなり、より簡単に端子付き電線を網チューブに貫通させることができる。
【００４１】
また、治具として、左右一対の分割パイプと左右の端末受け筒を設けた治具を用いると、左右端末受け筒に網チューブの両端を収容保持した状態で左右の分割パイプを近接させると、網チューブが縮んで拡径化しながらパイプ内周面に沿って保持することができ、端子付電線を端子側から容易に貫通できる。その結果、長い網チューブに端子付き電線の貫通作業も短時間で、かつ、作業員が一人で行うことができ、コストダウンを図ることができる。
【図面の簡単な説明】
【図１】  （Ａ）乃至（Ｄ）は本発明の第１実施形態の挿通作業工程を示す斜視図ある。
【図２】  （Ａ）乃至（Ｄ）は第１実施形態の変形例の挿通作業工程を示す概略図である。
【図３】  本発明の第２実施形態で使用する治具を示し、（Ａ）は斜視図、（Ｂ）は断面図、（Ｃ）は端末受け筒の斜視図、（Ｄ）はパイプの断面図である。
【図４】  （Ａ）〜（Ｅ）は第２実施形態の挿通作業工程を示す断面図である。
【図５】  第２実施形態の治具の変形例を示す断面図である。
【図６】  従来例を示す図面である。
【符号の説明】
３  網組チューブ
４  電線
５  端子
７、８  端末受け筒
１４ａ、１５ａ  周溝
１０、６  治具
１１  パイプ
１２、１３  分割パイプ
【図１】
0003731446.tif 000002
【図２】
0003731446.tif 000003
【図３】
0003731446.tif 000004
【図４】
0003731446.tif 000005
【図５】
0003731446.tif 000006
【図６】
0003731446.tif 000007